【手続補正書】
【提出日】平成19年11月9日(2007.11.9)
【手続補正１】
【補正対象書類名】明細書
【補正対象項目名】００１７
【補正方法】変更
【補正の内容】
【００１７】
次に、各部品構成について説明する。図２は第１実施形態のスイッチ付き同軸コネクタ１の絶縁ボディ１０を示す図であり、（ａ）は正面図（絶縁ボディ１０を相手側コネクタの嵌合方向から見た図。）、（ｂ）は平面図、（ｃ）は右側面図、（ｄ）は底面図、（ｅ）は正面図におけるＡ−Ａ断面図（絶縁ボディ１０をプラグピン挿抜方向と平行な平面で切った切断面。）である。図３は第１実施形態のスイッチ付き同軸コネクタ１の外部導体シェル３０を示す図であり、（ａ）は正面図（外部導体シェル３０を相手側コネクタの嵌合方向から見た図。）、（ｂ）は平面図、（ｃ）は右側面図である。図４は第１実施形態のスイッチ付き同軸コネクタ１の固定接続部材４０を示す図であり、（ａ）は正面図（固定接続部材４０を相手側コネクタの嵌合方向から見た図。）、（ｂ）は平面図、（ｃ）は右側面図である。図５は第１実施形態のスイッチ付き同軸コネクタ１の可動接続部材５０を示す図であり、（ａ）は正面図（可動接続部材５０を相手側コネクタの嵌合方向から見た図。）、（ｂ）は平面図、（ｃ）は右側面図である。
【手続補正２】
【補正対象書類名】明細書
【補正対象項目名】００２５
【補正方法】変更
【補正の内容】
【００２５】
バネ部５４は、第２内側壁１２ｂに沿う外周溝部１９ｂの始端部に嵌り込む平らな固定側端部５４ａと、第１内側壁１２ａに沿う外周溝部１９ｂの終端部に嵌り込む平らな自由側端部５４ｂと、湾曲した第４内側壁１２ｄに沿う外周溝部１９ｂの中間部に嵌り込む平らな中間部５４ｃと、固定側端部５４ａと中間部５４ｃとを繋ぐ第１曲げ部５４ｄと、中間部５４ｃと自由側端部５４ｂとを繋ぐ第２曲げ部５４ｅと、を有し、全体として略Ｕ字形に形成され、応力を２箇所の曲げ部５４ｄ，５４ｅに分散させて受けるようバネ設計されると共に、中間部５４ｃに対する自由側端部５４ｂの曲げ角度が、固定側端部５４ａに対する中間部５４ｃの曲げ角度より、小さくなるよう（例えば、前者を鋭角に、後者を鈍角とする。）、第１曲げ部５４ｄと第２曲げ部５４ｅが形成され、第１曲げ部５４ｄを支点に中間部５４ｃと自由側端部５４ｂとを一体的に弾性変位させながら、自由側端部５４ｂを第２曲げ部５４ｅを支点に弾性変位させるようバネ設計される。
【手続補正３】
【補正対象書類名】明細書
【補正対象項目名】００３９
【補正方法】変更
【補正の内容】
【００３９】
相手側コネクタをスイッチ付き同軸コネクタ１から外すと、プラグピン１００が絶縁ボディ１０のボディ本体１２の内部スイッチ収容室１６から抜去られ、プラグピン接触部５７とプラグピン１００との接触が断たれると共に、バネ部５４のバネ力によって、可動接点部５６が、再び固定接点部４１の固定接点４１ａに弾性接触し、プラグピン接触部５７が、プラグピン挿入領域１５の一部に入り込む位置に弾性復帰し、高周波回路がアンテナに電気接続される。
【手続補正４】
【補正対象書類名】明細書
【補正対象項目名】００５０
【補正方法】変更
【補正の内容】
【００５０】
ボディ本体１２'の内部には、図１７にも示す如く、プラグピン挿入領域１５'の周囲に断面略「ｃ」字形のスイッチ収容室１６'を形成するよう、ボディ本体１２'の内側壁１箇所からプラグピン挿入領域１５'を含むボディ本体１２'の内部中央部に片持ち状態で突出する仕切り壁１７'が、ボディ天面部１３'から一体に垂下される。仕切り壁１７'は、先端部のプラグピン挿入領域１５'に対応する部分を円柱面で切り欠き、ボディ本体１２'の内部における中心部に、プラグピン挿入領域１５'、すなわち、ボディ本体１２'の軸芯と同芯の細長い円柱空間を形成する。またプラグピン挿入領域１５'を囲う仕切り壁１７'先端部の円柱状の切り欠き面が、プラグピン挿入孔１４'の孔壁面、すなわち、誘い込み面１４ａ'から連続してプラグピン挿入方向に垂下する、プラグピン挿入ガイド壁面１７ａ'になっている。而して、ボディ本体１２'の内部には、仕切り壁１７'を介してプラグピン挿入領域１５'の周囲に断面略「ｃ」字形のスイッチ収容室１６'が形成される。プラグピン挿入領域１５'及びスイッチ収容室１６'は、台座部１１'を貫通してこの下面、すなわち、絶縁ボディ１０'の底面に開放されている。スイッチ収容室１６'は、その略全域を占める断面略「ｃ」字形の可動接片収容溝１９'と、その可動接片収容溝１９'の一端に連続形成する固定接点収容溝２０'と、を有している。
【手続補正５】
【補正対象書類名】明細書
【補正対象項目名】００５５
【補正方法】変更
【補正の内容】
【００５５】
可動接続部材５０'は、図１１、図１５、図１７に示す如く、導電性の金属薄板（例えば、「銅合金」。）を、所定形状に打ち抜いた後、曲げ加工したもので、絶縁ボディ１０'の可動接片収容溝１９'に収容される板バネである可動接片部５１'と、絶縁ボディ１０'の底面に沿うよう可動接片部５１'の固定側部５１ａ'下端から直角に一体に延設される半田接続部５５'と、を有している。可動接片部５１'は、その固定側端部から自由側端部かけての全ての部位の周方向位置が異なるように、細長い長方形状の金属薄板を長さ向に沿って略「ｃ」字形に曲げ形成したもので、可動接片収容溝１９'の始端部１９ａ'に嵌合固定される固定側部５１ａ'と、可動接片収容溝１９'の中間部１９ｂ'に嵌り込むアーム部５１ｂ'と、可動接片収容溝１９'の終端部１９ｃ'に嵌り込む自由側部５１ｃ'と、固定側部５１ａ'とアーム部５１ｂ'とを繋ぐ第１曲げ部５１ｄ'と、アーム部５１ｂ'と自由側部５１ｃ'とを繋ぐ第２曲げ部５１ｅ'と、を有し、板幅方向がプラグピン挿抜方向と平行となるよう可動接片収容溝１９'によってプラグピン挿入領域１５'の周りに片持ち状態で収容できるように形成される。また可動接片部５１'は、可動接片収容溝１９'に収容した時、自由側部５１ｃ'の端部が、固定側部５１ａ'から先の各部位５１ｄ'，５１ｂ'，５１ｅ'，５１ｃ'のバネ力によって、固定接点部４１'の固定接点４１ａ'に当接し、自由側部５１ｃ'の中間部が、プラグピン挿入領域１５'と可動接片収容溝１９'の終端部１９ｃ'との重複部分を通過する、プラグピン１００'の未挿入時の状態と、自由側部５１ｃ'の中間部が、プラグピン挿入領域１５'の外側を通過し、自由側部５１ｃ'の端部が、固定接点部４１'の固定接点４１ａ'から離反する、プラグピン１００'の挿入時の状態とに、固定側部５１ａ'から先の各部位５１ｄ'，５１ｂ'，５１ｅ'，５１ｃ'が、可動接片収容溝１９'の中間部１９ｂ'から終端部１９ｃ'の中で、プラグピン挿抜方向に対して略垂直方向に弾性変位可能となり、固定接点部４１'の固定接点４１ａ'に弾性接触する自由側部５１ｃ'の端部が可動接点部５６'となり、プラグピン挿入領域１５'と可動接片収容溝１９'の終端部１９ｃ'との重複部分を通過する自由側部５１ｃ'の中間部がプラグピン接触部５７'となる。すなわち、可動接片部５１'の自由側部５１ｃ'における長さ向に連続する同一平面上に、可動接点部５６'とプラグピン接触部５７'が設定される。
【手続補正６】
【補正対象書類名】明細書
【補正対象項目名】００６５
【補正方法】変更
【補正の内容】
【００６５】
切り換えスイッチ６０'の固定接点部４１'は、固定接点収容溝２０'に収容されることによって、固定接点４１ａ'が球面状に膨出形成された固定接点部４１'の金属表面が、可動接片収容溝１９'の終端部１９ｃ'の終端壁面に面一状態で露出され、その金属表面から可動接片収容溝１９'の終端部１９ｃ'に固定接点４１ａ'を突出させる。一方、切り換えスイッチ６０'の可動接片部５１'は、可動接片収容溝１９'に収容されることによって、可動接片部５１'の固定側部５１ａ'が、可動接片収容溝１９'の始端部１９ａ'に嵌合固定されて、固定側部５１ａ'から先の各部位５１ｄ'，５１ｂ'，５１ｅ'，５１ｃ'が、その板幅方向がプラグピン挿抜方向と平行となる状態で、可動接片収容溝１９'の中間部１９ｂ'から終端部１９ｃ'に嵌り込み、プラグピン挿入領域１５'の周りに片持ち状態で支持され、可動接片部５１'の自由側部５１ｃ'の端部が、固定側部５１ａ'から先の各部位５１ｄ'，５１ｂ'，５１ｅ'，５１ｃ'のバネ力によって、固定接点部４１'の固定接点４１ａ'に当接し、自由側部５１ｃ'の中間部が、プラグピン挿入領域１５'と可動接片収容溝１９'の終端部１９ｃ'との重複部分を通過する。このような固定接点部４１'と可動接片部５１'とによって、ボディ本体１２'の内部スイッチ収容室１６'に、ノーマルクローズの切り換えスイッチ６０'が構成されて内蔵されている。
【手続補正７】
【補正対象書類名】明細書
【補正対象項目名】００６７
【補正方法】変更
【補正の内容】
【００６７】
図１７の（ａ）に示す如く、スイッチ付き同軸コネクタ１'は、相手側コネクタの嵌合前でプラグピン１００'の未挿入時には、可動接続部材５０'のプラグピン接触部５７'が、可動接片部５１'の固定側部５１ａ'から先の各部位５１ｄ'，５１ｂ'，５１ｅ'，５１ｃ'のバネ力によって、プラグピン挿入領域１５'と可動接片収容溝１９'の終端部１９ｃ'との重複部分に位置した状態で、可動接続部材５０'の可動接点部５６'が、固定接点部材４０'の固定接点４１ａ'に弾性接触し、これら接続部材５０'，４０'とプリント配線基板のパターンを介して、高周波回路とアンテナとを電気接続している。
【手続補正８】
【補正対象書類名】明細書
【補正対象項目名】００６８
【補正方法】変更
【補正の内容】
【００６８】
相手側コネクタをスイッチ付き同軸コネクタ１'に嵌合すると、この嵌合に伴って、図１７の（ｂ）、図２０に示す如く、プラグピン１００'が、プラグ挿入孔１４'からプラグピン誘い込み面５９ａ'及びプラグピン挿入ガイド壁面１７ａ'でガイドされて、ボディ本体１２'の内部中心部のプラグ挿入領域１５'へとボディ本体１２'の軸芯に沿って挿入される。この挿入過程で、プラグピン１００'の球状先端面とプラグピン誘い込み部５９'の１／４円弧状のプラグピン誘い込み面５９ａ'とが摺接し、プラグピン接触部５７'をプラグピン挿入領域１５'（プラグピン１００'）の半径方向外側に押し退けるように、プラグピン接触部５７'をバネ力に抗してプラグピン挿抜方向に対して垂直方向に変位させることによって、プラグピン１００'は、プラグピン接触部５７'のプラグピン接触面側に摺接状態で挿入される。これによって、プラグピン接触部５７'がプラグピン１００'の外側面に弾性接触すると共に、このプラグピン接触部５７'と長さ向で連続する同一平面上で、プラグピン接触部５７'より先端側に設定されている可動接点部５６'が、固定接点部４０'の固定接点４１ａ'から離反し、高周波回路がプラグピン１００'を介してアンテナから測定装置に切り換え接続される。
【手続補正９】
【補正対象書類名】明細書
【補正対象項目名】００６９
【補正方法】変更
【補正の内容】
【００６９】
可動接片部５１'は、略「ｃ」字形に曲げ形成され、スイッチ収容室１６'の断面略「ｃ」字形の可動接片収容溝１９'を通り、プラグピン挿入領域１５'の一側から反対側に回り込むため、充分なバネ長を有し、しかも、第１曲げ部５４ｄ'と第２曲げ部５４ｅ'とを有し、応力を２箇所の曲げ部５１ｄ'，５１ｅ'に分散させて受けるようにバネ設計されているため、部分的に大きな曲げモーメントを生じることがなく、プラグピン１００'の繰り返し挿抜きに対するバネ特性の劣化が生じにくく、プラグピン１００'の繰り返し挿抜に対する寿命性を向上させることができる。またプラグピン接触部５７'と可動接点部５６'とが、可動接片部５１'における板幅方向がプラグピン挿抜方向と平行な自由側部５１ｃ'の同一平面上に設定され、しかも、プラグピン接触部５７'が可動接点部５６'より先端側に設定されているため、プラグピン接触部５７'と可動接点部５６'との変位量は１対１ではなく、プラグピン接触部５７'の変位量に比べて可動接点部５６'の変位量が大きくなる。このため、切り換えスイッチ６０'の確実な接点切り換え動作を得ることができる。逆に言えば、切り換えスイッチ６０'の接点切り換え動作に必要な可動接点部５６'の変位量が、その変位量よりも少ないプラグピン接触部５７'の変位量によって得ることができる。このため、可動接片部５１'の固定側部５１ａ'から先の各部位５１ｄ'，５１ｂ'，５１ｅ'，５１ｃ'の弾性変位量を小さくでき、可動接片部５１'の寿命性の向上と同時に、スイッチ付き同軸コネクタ１'の小型化にも有効となる。さらに可動接片部５１'は、略「ｃ」字形に曲げ形成され、その固定側端部から自由側端部かけての全ての部位５１ａ'、５１ｄ'，５１ｂ'，５１ｅ'，５１ｃ'の周方向位置が異なるため、可動接片部５１'の固定側端部から自由側端部にかけての部位間で半径方向で重複し離間距離が著しく接近し高周波的に干渉し易い部位をなくすことができると共に、可動接片部５１'の固定側端部から自由側端部かけての自由側部５１ｃ'を除く部位で半径方向で重複しプラグピン挿入領域に一部が食い込みプラグピン挿抜時にプラグピン１００’と干渉し易い部位をなくすことができ、同時にスイッチ付き同軸コネクタ１'の小型化にも有効となる。またプラグピン誘い込み部５９'のプラグピン誘い込み面５９ａ'と先端面が作る角部に面取り５９ｂ'を施したため、プラグピン誘い込み部５９'のプラグピン誘い込み面５９ａ'と先端面が作る角部（エッジ部）がボディ天面部１３'に引っ掛かるのを防止でき、可動接片部５１'のボディ天面部１３'との干渉による動作不良をなくし、高い接触信頼性と同時に、切り換えスイッチ６０'の確実な接点切り換え動作を得ることができる。
【手続補正１０】
【補正対象書類名】明細書
【補正対象項目名】００７０
【補正方法】変更
【補正の内容】
【００７０】
相手側コネクタをスイッチ付き同軸コネクタ１'から外すと、プラグピン１００'が絶縁ボディ１０'のボディ本体１２'の内部スイッチ収容室１６'から抜去られ、プラグピン接触部５７'とプラグピン１００'との接触が断たれると共に、可動接片部５１'の固定側部５１ａ'から先の各部位５１ｄ'，５１ｂ'，５１ｅ'，５１ｃ'のバネ力によって、プラグピン接触部５７'が、プラグピン挿入領域１５'と可動接片収容溝１９'の終端部１９ｃ'との重複部分にに弾性復帰し、可動接点部５６'が、再び固定接点部４１'の固定接点４１ａ'に弾性接触し、高周波回路がアンテナに電気接続される。
【手続補正１１】
【補正対象書類名】明細書
【補正対象項目名】００７７
【補正方法】変更
【補正の内容】
【００７７】
スイッチ付き同軸コネクタ１'において、プラグピン接触部５７'のプラグピン挿入側端部には、プラグピン挿入領域１５'の外側に向かって湾曲するプラグピン誘い込み部５９'が形成されている。また絶縁ボディ１０'には、その円筒内部のプラグピン挿入領域１５'の外周側に、プラグピン挿入孔１４'の孔壁面から連続してプラグピン挿入方向に垂下するプラグピン挿入ガイド壁面１７ａ'が形成されている。これにより、プラグピン１００'はプラグピン挿入ガイド壁面１７ａ'にガイドされて挿入されるため、プラグピン１００'の軸芯が大きく偏芯したり、斜めに挿入されることがなく、しかもプラグピン誘い込み部５９'によってプラグピン接触部５７'の接触面側にプラグピン１００'が確実に摺接挿入され、高い接触信頼性と同時に、切り換えスイッチ６０'の確実な接点切り換え動作が得られる。
【手続補正１２】
【補正対象書類名】明細書
【補正対象項目名】００８０
【補正方法】変更
【補正の内容】
【００８０】
以上から明らかなように、本発明の第１実施形態及び第２実施形態では、可動接片部５１，５１'の寿命性及び接触信頼性を向上し、更なる小型化、低背化を実現でき、簡素な部品構成によりコストダウンも実現できるスイッチ付き同軸コネクタ１，１'を得ている。